Podtech/llm-jp-corpus-v4-ja_patent huggingface dataset:
【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
発光手段を発光させてシート材に照射した光を受光手段で受光して、該シート材の情報を検出する光学的情報検出手段を有する情報検出手段と、
前記情報検出手段が検出した前記シート材の情報に基づいてシート材の判別を行う判別手段とを備えたシート材判別装置において、
装置内を移動するシート材を自身と対向する対向部材との間に挟むことで、前記対向部材との間に前記シート材を挟んでいないときに位置する初期位置から変位する変位部材と、前記変位部材の変位量を検知する変位量検知手段とを備え、前記変位量検知手段の検知結果に基づいて前記シート材の厚さを検知するシート材厚さ検知手段を、前記情報検出手段が有することを特徴とするシート材判別装置。
【請求項２】
請求項１に記載のシート材判別装置において、
前記発光手段を発光させたり発光を停止させたりする発光制御手段を有し、
前記シート材厚さ検知手段によってシート材の厚さを検知した時に、前記発光制御手段により前記発光手段を発光させることを特徴とするシート材判別装置。
【請求項３】
請求項２に記載のシート材判別装置において、
前記シート材厚さ検知手段によりシート材の厚さが検知されなくなったら、前記発光制御手段により前記発光手段の発光を停止させることを特徴とするシート材判別装置。
【請求項４】
請求項２に記載のシート材判別装置において、
前記光学的情報検出手段によるシート材情報の検出が完了したら、前記発光制御手段により前記発光手段の発光を停止することを特徴とするシート材判別装置。
【請求項５】
請求項１、２、３または４に記載のシート材判別装置において、
前記発光手段からレーザー光を照射することを特徴とするシート材判別装置。
【請求項６】
請求項１、２、３、４または５に記載のシート材判別装置において、
前記光学的情報検出手段は前記受光手段を複数有しており、
前記受光手段には、前記発光手段より照射された光のうち、前記シート材を透過した光を受光する透過光受光手段を少なくとも含むことを特徴とするシート材判別装置。
【請求項７】
請求項１、２、３、４、５または６に記載のシート材判別装置において、
前記光学的情報検出手段は前記受光手段を複数有しており、
前記発光手段より照射された光のうち、前記シート材において正反射された光を受光する正反射光受光手段と、前記発光手段より照射された光のうち、前記シート材において拡散反射された光を受光する拡散反射光受光手段とを少なくとも含むことを特徴とするシート材判別装置。
【請求項８】
請求項１、２、３、４、５、６または７に記載のシート材判別装置において、
画像形成装置と通信可能な通信手段を有することを特徴とするシート材判別装置。
【請求項９】
請求項１乃至８のいずれか一のシート材判別装置において、
前記変位量検知手段に対する前記対向部材の相対的な位置が一定に保たれるように、前記対向部材と前記変位量検知手段とを共通の筐体に設けることを特徴とするシート材判別装置。
【請求項１０】
シート材に画像を形成する画像形成手段と、
前記シート材の情報を検出し該シート材の判別を行うシート材判別装置とを備えた画像形成装置において、
前記シート材判別装置として、請求項１、２、３、４、５、６、７、８または９に記載のシート材判別装置を画像形成装置外部に設けたことを特徴とする画像形成装置。
【請求項１１】
請求項１０に記載の画像形成装置において、
前記発光手段を発光させる指示を出す指示手段を、画像形成装置本体に設けたことを特徴とする画像形成装置。
【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
高さｄ［μｍ］と幅ｗ［μｍ］がｄ／ｗ≦０．７かつ０．０１≦ｄ≦１．０を満たす凸部を有する金型を用いて形成された溝を表面に有することを特徴とする中間転写体。
【請求項２】
前記中間転写体の表面の垂直方向の投影表面積をＳ１、その実表面積をＳ２とした場合、１．２５＜Ｓ２／Ｓ１であることを特徴とする請求項１に記載の中間転写体。
【請求項３】
多数の同一形状の前記溝が一定間隔で繰り返し並列した面を有する請求項２に記載の中間転写体。
【請求項４】
前記溝は、直線状、曲線状、またはジグザグ状に延在していることを特徴とする請求項１乃至３のいずれか一項に記載の中間転写体。
【請求項５】
前記溝は、互いに交差していることを特徴とする請求項１乃至４のいずれか一項に記載の中間転写体。
【請求項６】
表層部材と、支持部材を有し、表層部材がゴム弾性体を含むことを特徴とする請求項１乃至５のいずれか一項に記載の中間転写体。
【請求項７】
前記ゴム弾性体が、ポリブタジエン系ゴム、ニトリル系ゴム、クロロプレン系ゴム、シリコーン系ゴム、フッ素系ゴム、ウレタン系ゴム、スチレン系エラストマー、オレフィン系エラストマー、塩ビ系エラストマー、エステル系エラストマー及びアミド系エラストマーの少なくとも１種であることを特徴とする請求項６に記載の中間転写体。
【請求項８】
前記表層部の厚さが、１０μｍ以上１０００μｍ以下であることを特徴とする請求項６または７に記載の中間転写体。
【請求項９】
前記中間転写体の表面の圧縮弾性率Ｅ［ＭＰａ］が、１．５以上６．２以下であることを特徴とする請求項１乃至８のいずれか一項に記載の中間転写体。
【請求項１０】
請求項１乃至９のいずれか一項に記載の中間転写体上にインクを付与して中間画像を形成する工程と、
前記中間転写体の表面の圧縮弾性率Ｅ［ＭＰａ］、転写時の圧力をＰ［ＭＰａ］とした時、１≦Ｐかつ１≦Ｅ／Ｐ≦８を満たすように、前記中間転写体上の中間画像を記録媒体に転写する工程と、
を有することを特徴とする画像記録方法。
【請求項１１】
前記中間画像を形成する工程の前に更に、
前記中間転写体上に処理液を付与する工程を有することを特徴とする請求項１０に記載の画像記録方法。
【請求項１２】
請求項１乃至９のいずれか一項に記載の中間転写体と、
前記中間転写体の表面にインクを付与可能なインク付与手段と、
前記中間転写体の表面と当接して、前記中間転写体の表面の圧縮弾性率をＥ［ＭＰａ］、転写時の圧力をＰ［ＭＰａ］とした時、１≦Ｐかつ１≦Ｅ／Ｐ≦８を満たすように、前記中間転写体の表面を加圧することが可能な転写手段と、
を有することを特徴とする画像記録装置。
【請求項１３】
前記中間転写体の表面に処理液を付与可能な処理液付与手段を更に有することを特徴とする請求項１２に記載の画像記録装置。
【手続補正２】
【補正対象書類名】明細書
【補正対象項目名】０００８
【補正方法】変更
【補正の内容】
【０００８】
一実施形態は、
高さｄ［μｍ］と幅ｗ［μｍ］がｄ／ｗ≦０．７かつ０．０１≦ｄ≦１．０を満たす凸部を有する金型を用いて形成された溝を表面に有することを特徴とする中間転写体に関する。
他の実施形態は、
高さｄ［μｍ］と幅ｗ［μｍ］がｄ／ｗ≦０．７かつ０．０１≦ｄ≦１．０を満たす凸
部を有する金型を用いて形成された溝を表面に有する中間転写体上にインクを付与して中
間画像を形成する工程と、
前記中間転写体の表面の圧縮弾性率Ｅ［ＭＰａ］、転写時の圧力をＰ［ＭＰａ］とした
時、１≦Ｐかつ１≦Ｅ／Ｐ≦８を満たすように、前記中間転写体上の中間画像を記録媒体
に転写する工程と、
を有することを特徴とする画像記録方法に関する。
【手続補正３】
【補正対象書類名】明細書
【補正対象項目名】０００９
【補正方法】変更
【補正の内容】
【０００９】
他の実施形態は、
高さｄ［μｍ］と幅ｗ［μｍ］がｄ／ｗ≦０．７かつ０．０１≦ｄ≦１．０を満たす凸部を有する金型を用いて形成された溝を表面に有する中間転写体と、
前記中間転写体の表面にインクを付与可能なインク付与手段と、
前記中間転写体の表面と当接して、前記中間転写体の表面の圧縮弾性率をＥ［ＭＰａ］、転写時の圧力をＰ［ＭＰａ］とした時、１≦Ｐかつ１≦Ｅ／Ｐ≦８を満たすように、前記中間転写体の表面を加圧することが可能な転写手段と、
を有することを特徴とする画像記録装置に関する。
【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
開口が設けられ前記開口から挿入された被検部を保持する保持部材が接続され被験者を支持する支持台と、
音響波を受信し受信信号を出力する受信部を有し音響整合液が収容される液槽と、
前記液槽を略水平に走査する走査部と、を有する音響波受信装置であって、
前記液槽が前記走査部により走査されつつ前記受信部が音響波を受信する際に、前記音響整合液が前記支持台と接する高さ以上の液位を少なくとも維持するように構成されていることを特徴とする音響波受信装置。
【請求項２】
開口が設けられ前記開口から挿入された被検部を保持する保持部材が接続され被験者を支持する支持台と、
音響波を受信し受信信号を出力する受信部を有し音響整合液が収容される液槽と、
前記液槽を略水平に走査する走査部と、を有する音響波受信装置であって、
前記液槽が前記走査部により前記支持台に対して相対的に移動されつつ、前記音響整合液が前記支持台と接する高さ以上の液位を少なくとも維持するように構成されていることを特徴とする音響波受信装置。
【請求項３】
前記支持台は、前記受信部が位置する側と反対側において、前記開口に近付くにつれて深くなる凹部を有することを特徴とする請求項１または２に記載の音響波受信装置。
【請求項４】
前記液槽は、前記受信部が設けられる受信部と、前記受信部から略水平方向における外側に延在し前記支持台に向かって突出する環状の側壁を有する周辺部と、を有することを特徴とする請求項１乃至３のいずれか１項に記載の音響波受信装置。
【請求項５】
前記液槽に前記音響整合液を供給する液供給部を備えることを特徴とする請求項４に記載の音響波受信装置。
【請求項６】
前記液槽から溢れ出た前記音響整合液を回収する回収部を備えることを特徴とする請求項５に記載の音響波受信装置。
【請求項７】
前記液槽、前記液供給部、及び、前記回収部は、互いに環状に接続され、前記液槽に前記音響整合液を循環した供給及び排出を行うことができるように構成されていることを特徴とする請求項６に記載の音響波受信装置。
【請求項８】
前記回収部は、前記側壁の外周に設けられた音響整合液を回収する回収溝を有することを特徴とする請求項６に記載の音響波受信装置。
【請求項９】
前記液位調整機構は、たるみを有して張架され、或いは、伸縮性を有し、前記支持台と前記回収溝とに接続され前記支持台に付着した前記音響整合液が前記回収溝にまで伝い落ち回収されるように設けられた回収膜を有することを特徴とする請求項８に記載の音響波受信装置。
【請求項１０】
前記液位調整機構は、前記支持台と摺動可能に前記側壁に接続されているシール材を有することを特徴とする請求項４に記載の音響波受信装置。
【請求項１１】
前記液位調整機構は、前記支持台と前記周辺部を環状かつ液密に接続し、伸縮可能なシール材を有することを特徴とする請求項４に記載の音響波受信装置。
【請求項１２】
前記液位調整機構は、前記支持台と前記周辺部の間において前記シール材を囲むように環状に配置され鉛直方向より水平方向に変形しやすいシール保持部材を有することを特徴とする請求項１１に記載の音響波受信装置。
【請求項１３】
前記シール保持部材は、前記液槽の走査方向において伸縮性を有することを特徴とする請求項１２に記載の音響波受信装置。
【請求項１４】
前記液位調整機構は、
前記側壁の内側であり前記保持部材の外側において、前記支持台から前記周辺部に向かって鉛直方向において前記側壁と重なる部分有するように突出する環状の隔壁と、
前記隔壁に囲まれた領域を、前記隔壁の外側に比べて負圧となるように吸引する吸引機構と、を有していることを特徴とする請求項４に記載の音響波受信装置。
【請求項１５】
前記受信部は、それぞれの受信指向軸が所定の領域に向いて集まるように複数の変換素子を備えていることを特徴とする請求項１乃至１４のいずれか１項に記載の音響波受信装置。
【請求項１６】
前記複数の変換素子は球面にそって配列されており、前記球面の曲率中心は前記所定の領域に重なるように位置していることを特徴とする請求項１５に記載の音響波受信装置。
【請求項１７】
前記受信部は、前記複数の変換素子を支持する支持部を備えていることを特徴とする請求項１５または１６に記載の音響波受信装置。
【請求項１８】
前記保持部材に対向して配置された光照射部を有することを特徴とする請求項１乃至１７のいずれか１項に記載の音響波受信装置。
【請求項１９】
前記保持部材は、前記開口と重なる位置において、
前記支持台に対して液密に接続されていることを特徴とする請求項１乃至１８のいずれか１項に記載の音響波受信装置。
【請求項２０】
前記支持台は、前記開口以外の部分において前記被験者を支持するように構成されていることを特徴とする請求項１乃至１９のいずれか１項に記載の音響波受信装置。
【請求項２１】
前記受信部が受信した信号をアナログ・デジタル変換し光音響データを生成する信号処理部と、前記光音響データを用いて２次元もしくは３次元の光音響画像を生成する画像生成部と、を有することを特徴とする請求項１乃至２０のいずれか１項に記載の音響波受信装置。
【手続補正２】
【補正対象書類名】明細書
【補正対象項目名】発明の名称
【補正方法】変更
【補正の内容】
【発明の名称】音響波受信装置
【手続補正３】
【補正対象書類名】明細書
【補正対象項目名】０００８
【補正方法】変更
【補正の内容】
【０００８】
本発明の一様態は、開口が設けられ前記開口から挿入された被検部を保持する保持部材が接続され被験者を支持する支持台と、音響波を受信し受信信号を出力する受信部を有し音響整合液が収容される液槽と、前記液槽を略水平に走査する走査部と、を有する音響波受信装置であって、前記液槽が前記走査部により走査されつつ前記受信部が音響波を受信する際に、前記音響整合液が前記支持台と接する高さ以上の液位を少なくとも維持するように構成されていることを特徴とする音響波受信装置に関する。
また、本発明の他の態様は、開口が設けられ前記開口から挿入された被検部を保持する保持部材が接続され被験者を支持する支持台と、
音響波を受信し受信信号を出力する受信部を有し音響整合液が収容される液槽と、
前記液槽を略水平に走査する走査部と、を有する音響波受信装置であって、
前記液槽が前記走査部により前記支持台に対して相対的に移動されつつ、前記音響整合液が前記支持台と接する高さ以上の液位を少なくとも維持するように構成されていることを特徴とする音響波受信装置に関する。
【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
遊技に使用するための遊技媒体をベットするベット手段と、
遊技媒体をベットした後、スタートスイッチの操作に基づき、複数種類の当選種別のいずれかを当選種別抽選により決定する当選種別抽選手段と、
前記スタートスイッチの操作に応じて、複数種類の図柄がそれぞれ配列された複数の回転リールを回転制御し、回転している回転リールに対応するストップスイッチの操作に応じ、前記当選種別抽選手段の抽選結果に基づいて、操作された該ストップスイッチに対応する回転リールをそれぞれ停止制御するリール制御手段と、
前記当選種別抽選で決定した小役の入賞に基づいて、該小役に対応する遊技媒体を払い出す払出制御手段と、
通常遊技状態、および、該通常遊技状態よりも遊技利益の大きい特定遊技状態を含む複数の遊技状態から１の遊技状態を決定する遊技状態遷移手段と、
演出表示部に表示する演出にかかる画像を決定する演出決定手段と、
前記演出決定手段により決定された演出にかかる画像を前記演出表示部に表示する演出実行手段と、
を備え、
前記遊技状態遷移手段は、
前記通常遊技状態において前記特定遊技状態に遊技状態を移行させる所定の契機までの期間に相当する内部値を１遊技毎に更新可能であり、
前記演出実行手段は、
前記期間を示唆する表示値として前記内部値が前記演出表示部に表示されている間に所定条件が成立すると、該演出表示部に表示された該表示値を非表示とし、該表示値が非表示のときに前記遊技媒体をベットした後、前記スタートスイッチの操作に基づき遊技が開始されると、該演出表示部に該表示値を表示することを特徴とする遊技機。
【請求項２】
前記所定条件は、１遊技が終了してから所定時間、次の１遊技が行われていないことであることを特徴とする請求項１に記載の遊技機。
【請求項３】
前記演出決定手段は、
前記演出表示部に前記表示値を非表示としてから再び表示する場合、前記内部値とは異なるダミー値を決定するとともに、該ダミー値を該内部値に倣って更新し、
前記演出実行手段は、
前記ダミー値を前記表示値として前記演出表示部に表示することを特徴とする請求項１または２に記載の遊技機。
【請求項４】
前記演出決定手段は、
抽選で取り得る最大値と前記内部値との間のいずれかの値をダミー値として抽選で決定することを特徴とする請求項３に記載の遊技機。
【手続補正２】
【補正対象書類名】明細書
【補正対象項目名】０００９
【補正方法】変更
【補正の内容】
【０００９】
上記課題を解決するために、本発明の遊技機は、遊技に使用するための遊技媒体をベットするベット手段と、遊技媒体をベットした後、スタートスイッチの操作に基づき、複数種類の当選種別のいずれかを当選種別抽選により決定する当選種別抽選手段と、前記スタートスイッチの操作に応じて、複数種類の図柄がそれぞれ配列された複数の回転リールを回転制御し、回転している回転リールに対応するストップスイッチの操作に応じ、前記当選種別抽選手段の抽選結果に基づいて、操作された該ストップスイッチに対応する回転リールをそれぞれ停止制御するリール制御手段と、前記当選種別抽選で決定した小役の入賞に基づいて、該小役に対応する遊技媒体を払い出す払出制御手段と、通常遊技状態、および、該通常遊技状態よりも遊技利益の大きい特定遊技状態を含む複数の遊技状態から１の遊技状態を決定する遊技状態遷移手段と、演出表示部に表示する演出にかかる画像を決定する演出決定手段と、前記演出決定手段により決定された演出にかかる画像を前記演出表示部に表示する演出実行手段と、を備え、前記遊技状態遷移手段は、前記通常遊技状態において前記特定遊技状態に遊技状態を移行させる所定の契機までの期間に相当する内部値を１遊技毎に更新可能であり、前記演出実行手段は、前記期間を示唆する表示値として前記内部値が前記演出表示部に表示されている間に所定条件が成立すると、該演出表示部に表示された該表示値を非表示とし、該表示値が非表示のときに前記遊技媒体をベットした後、前記スタートスイッチの操作に基づき遊技が開始されると、該演出表示部に該表示値を表示する。
【手続補正３】
【補正対象書類名】明細書
【補正対象項目名】００１１
【補正方法】変更
【補正の内容】
【００１１】
また、前記演出決定手段は、前記演出表示部に前記表示値を非表示としてから再び表示する場合、前記内部値とは異なるダミー値を決定するとともに、該ダミー値を該内部値に倣って更新し、前記演出実行手段は、前記ダミー値を前記表示値として前記演出表示部に表示するようにしてもよい。
【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
遊技に使用するための遊技媒体をベットするベット手段と、
遊技媒体をベットした後、スタートスイッチの操作に基づき、複数種類の当選種別のいずれかを当選種別抽選により決定する当選種別抽選手段と、
前記スタートスイッチの操作に応じて、複数種類の図柄がそれぞれ配列された複数の回転リールを回転制御し、回転している回転リールに対応するストップスイッチの操作に応じ、前記当選種別抽選手段の抽選結果に基づいて、操作された該ストップスイッチに対応する回転リールをそれぞれ停止制御するリール制御手段と、
前記当選種別抽選で決定した小役の入賞に基づいて、該小役に対応する遊技媒体を払い出す払出制御手段と、
通常遊技状態、および、該通常遊技状態よりも遊技利益の大きい特定遊技状態を含む複数の遊技状態から１の遊技状態を決定する遊技状態遷移手段と、
演出表示部に表示する演出にかかる画像を決定する演出決定手段と、
前記演出決定手段により決定された演出にかかる画像を前記演出表示部に表示する演出実行手段と、
遊技利益を得る容易性を段階的に示す設定値を変更する設定変更手段と、
を備え、
前記遊技状態遷移手段は、
前記通常遊技状態において前記特定遊技状態に遊技状態を移行させる所定の契機までの期間に相当する内部値を１遊技毎に更新可能であり、
前記演出実行手段は、
電断復帰時および前記設定変更手段により前記設定値が変更された場合、取り得る最大値と前記内部値との間のいずれかの値をダミー値として決定し、また、該ダミー値を該内部値に倣って更新し、
前記演出実行手段は、
前記期間を示唆する表示値として前記内部値を前記演出表示部に表示し、前記演出実行手段により前記ダミー値が決定された場合には、該ダミー値を前記表示値として該演出表示部に表示することを特徴とする遊技機。
【請求項２】
前記演出決定手段は、
電断復帰時および前記設定変更手段により前記設定値が変更された場合、抽選で取り得る最大値と前記内部値との間のいずれかの値をダミー値として抽選で決定することを特徴とする請求項１に記載の遊技機。
【請求項３】
前記遊技状態遷移手段は、
前記設定変更手段により前記設定値が変更された場合、前記最大値までのいずれかの値を前記内部値として抽選により決定し、電断復帰時には該内部値を保持することを特徴とする請求項１または２に記載の遊技機。
【手続補正２】
【補正対象書類名】明細書
【補正対象項目名】００１０
【補正方法】変更
【補正の内容】
【００１０】
上記課題を解決するために、本発明の遊技機は、遊技に使用するための遊技媒体をベットするベット手段と、遊技媒体をベットした後、スタートスイッチの操作に基づき、複数種類の当選種別のいずれかを当選種別抽選により決定する当選種別抽選手段と、前記スタートスイッチの操作に応じて、複数種類の図柄がそれぞれ配列された複数の回転リールを回転制御し、回転している回転リールに対応するストップスイッチの操作に応じ、前記当選種別抽選手段の抽選結果に基づいて、操作された該ストップスイッチに対応する回転リールをそれぞれ停止制御するリール制御手段と、前記当選種別抽選で決定した小役の入賞に基づいて、該小役に対応する遊技媒体を払い出す払出制御手段と、通常遊技状態、および、該通常遊技状態よりも遊技利益の大きい特定遊技状態を含む複数の遊技状態から１の遊技状態を決定する遊技状態遷移手段と、演出表示部に表示する演出にかかる画像を決定する演出決定手段と、前記演出決定手段により決定された演出にかかる画像を前記演出表示部に表示する演出実行手段と、遊技利益を得る容易性を段階的に示す設定値を変更する設定変更手段と、を備え、前記遊技状態遷移手段は、前記通常遊技状態において前記特定遊技状態に遊技状態を移行させる所定の契機までの期間に相当する内部値を１遊技毎に更新可能であり、前記演出実行手段は、電断復帰時および前記設定変更手段により前記設定値が変更された場合、取り得る最大値と前記内部値との間のいずれかの値をダミー値として決定し、また、該ダミー値を該内部値に倣って更新し、前記演出実行手段は、前記期間を示唆する表示値として前記内部値を前記演出表示部に表示し、前記演出実行手段により前記ダミー値が決定された場合には、該ダミー値を前記表示値として該演出表示部に表示する。
【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
プレーヤに装着される複数のセンサ装置がそれぞれ発生させたセンシングデータを解析する解析部と、
前記解析部の解析結果に基づいて前記複数のセンサ装置が装着された前記プレーヤの身体状態の変化の様子を可視化する情報を生成する情報生成部と、
を備える、情報処理装置。
【請求項２】
前記複数のセンサ装置は、前記プレーヤの関節を挟んだ位置に装着される、請求項１に記載の情報処理装置。
【請求項３】
前記プレーヤの関節は、前記プレーヤの手首であり、
前記情報生成部は、前記解析部の解析結果に基づいて前記プレーヤの手首の変化の様子を可視化する情報を生成する、請求項２に記載の情報処理装置。
【請求項４】
前記情報生成部は、前記プレーヤによるゴルフクラブのスイングに関する情報を生成する、請求項１〜３のいずれかに記載の情報処理装置。
【請求項５】
プレーヤに装着される複数のセンサ装置がそれぞれ発生させたセンシングデータを解析することと、
前記解析の結果に基づいて前記複数のセンサ装置が装着された前記プレーヤの身体状態の変化の様子を可視化する情報を生成することと、
を含む、情報処理方法。
【請求項６】
コンピュータに、
プレーヤに装着される複数のセンサ装置がそれぞれ発生させたセンシングデータを解析することと、
前記解析の結果に基づいて前記複数のセンサ装置が装着された前記プレーヤの身体状態の変化の様子を可視化する情報を生成することと、
を実行させる、コンピュータプログラム。
【手続補正２】
【補正対象書類名】明細書
【補正対象項目名】００１９
【補正方法】変更
【補正の内容】
【００１９】
図１に示したように、センサ装置１００ａは手袋１０に装着され、センサ装置１００ｂはリストバンド２０に装着されている。従って、センサ装置１００ａは主にプレーヤの手の甲の部分の動きをセンシングし、センサ装置１００ｂは主にプレーヤの手首の部分の動きをセンシングする。すなわち、センサ装置１００ａ、１００ｂは、図１のようにプレーヤの手首の関節を挟むようにユーザに装着される。
【手続補正３】
【補正対象書類名】明細書
【補正対象項目名】００６１
【補正方法】変更
【補正の内容】
【００６１】
情報処理装置２００は、プレーヤのスイングの軌跡を得るためには、センサ装置１００ａのワールド座標を知る必要がある。センサ装置１００ａのピッチとロールが分かると、センサ装置１００ａのローカル座標をワールド座標に変換するための変換行列が生成できる。従って情報処理装置２００は、ステップＳ１０２で検出したセンサ装置１００ａのピッチとロールを用いて、センサ装置１００ａのローカル座標をワールド座標に変換するための座標変換行列の初期値を生成する（ステップＳ１０３）。座標変換行列を生成することで、情報処理装置２００は、センサ装置１００ａから送信されたセンシングデータを用いてセンサ装置１００ａのワールド座標を生成することが出来る。
【手続補正書】
【提出日】平成29年8月22日(2017.8.22)
【手続補正１】
【補正対象書類名】明細書
【補正対象項目名】００７９
【補正方法】変更
【補正の内容】
【００７９】
上記微粒子Ａ及びＢは、粒子径に応じて表面保護層の耐傷性を向上させることができ、艶消し効果を向上させることができれば特に限定されず、従来公知のものを用いることができる。上記微粒子Ａ及びＢとしては、例えば、シリカ微粒子、シリコーン樹脂等の無機粒子；架橋アルキル、架橋スチレン、ベンゾグアナミン樹脂、尿素−ホルムアルデヒド樹脂、フェノール樹脂、ポリエチレン、ナイロン等の有機物粒子等が挙げられる。これらの中でも、シリカ微粒子が好ましい。 
【手続補正２】
【補正対象書類名】明細書
【補正対象項目名】０１２６
【補正方法】変更
【補正の内容】
【０１２６】
当該艶調整層形成用インキをプライマー層のおもて面全面にグラビア印刷法で塗布して艶調整層を形成した。当該艶調整層のおもて面に、厚み、シリカの平均粒子径、表面のＲａ及び反射率の割合を表２のように変更した以外は実施例１と同様にして、表面保護層を形成した。上記以外は実施例１と同様にして、実施例４のシートを作製した。 
【手続補正３】
【補正対象書類名】明細書
【補正対象項目名】０１２７
【補正方法】変更
【補正の内容】
【０１２７】
実施例５
実施例４と同様にして調製した艶調整層形成用インキを、プライマー層のおもて面にグラビア印刷法で導管絵柄模様のパターン状に塗布して艶調整層を形成した。当該艶調整層を形成した面全面に、厚み、シリカの平均粒子径、表面のＲａ及び反射率の割合を表２のように変更した以外は実施例１と同様にして、表面保護層を形成した。上記以外は実施例１と同様にして、実施例５のシートを作製した。
【手続補正書】
【提出日】平成29年1月24日(2017.1.24)
【手続補正１】
【補正対象書類名】明細書
【補正対象項目名】００２１
【補正方法】変更
【補正の内容】
【００２１】
カバーインナ３４は、左右方向中央の基部３４ａと、その左右両側に延びてフロントカウル２０（図２）およびサイドカウル２５に取り付けられ、カウルの一部を形成する張出し部３４ｂ、３４ｂとを有している。基部３４ａにメータ開口３９が設けられ、このメータ開口３９にメータユニット２６が装着されている。カバーインナ３４の左右の張出し部３４ｂに、上方斜め外側方を向いたボルト挿通孔４３が形成されている。ボルト挿通孔４３は前後方向に並んで２つ設けられている。さらに、カバーインナ３４の左右の張出し部３４ｂの後端部に、上下方向を向いたボルト挿通孔４４が形成されている。ボルト挿通孔４４は左右方向に並んで２つ設けられている。
【手続補正２】
【補正対象書類名】明細書
【補正対象項目名】００２９
【補正方法】変更
【補正の内容】
【００２９】
メータカバー２８は、図２のボルト６２およびボルト６４により、フロントカウル２０およびサイドカウル２５に取り付けられている。具体的には、カバーインナ３４のボルト挿通孔４３（図４）にボルト６２が挿通され、フロントカウル２２のねじ孔（図示せず）にねじ込まれるとともに、カバーインナ３４のボルト挿通孔４４（図４）にボルト６４が挿通され、サイドカウル２５のねじ孔（図示せず）にねじ込まれることで、メータカバー２８は、フロントカウル２０およびサイドカウル２５に取り付けられる。
【手続補正３】
【補正対象書類名】図面
【補正対象項目名】図３
【補正方法】変更
【補正の内容】
【図３】
2015205548.tif 000001
【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
各プレイヤーに関連付けてフレンドプレイヤー及び抽選ゲームをプレイできる回数である抽選操作回数を記憶する記憶部と、
プレイヤーに関連付けられたフレンドプレイヤーのゲームプレイを前記プレイヤーが閲覧するゲーム画面であって、抽選ゲームをゲームプレイしている前記フレンドプレイヤーのスコアを変動させるスコア変動コンテンツ、及び、前記スコア変動コンテンツよりも大きくスコアを変動させる特別スコア変動コンテンツの少なくとも一方を含む複数のゲームコンテンツが配置されたゲームコンテンツ配置エリアを有するゲーム画面のデータを生成する画面データ生成部と、
ゲームプレイ中に、前記フレンドプレイヤーが抽選操作回数を１つ減らして抽選ゲームを行なうための抽選操作を行なうことによって、前記ゲームコンテンツ配置エリアに配置された複数のゲームコンテンツの中から抽選によっていずれかのゲームコンテンツを１つ決定し、その決定されたゲームコンテンツを前記フレンドプレイヤーに付与するゲームコンテンツ付与部と、
前記フレンドプレイヤーに付与されたゲームコンテンツが前記スコア変動コンテンツ又は前記特別スコア変動コンテンツである場合に、それぞれのコンテンツに応じて前記フレンドプレイヤーのスコアを変動させて更新するスコア更新部と、
前記ゲーム画面の閲覧中に、前記特別スコア変動コンテンツの獲得を目指してゲームプレイしている前記フレンドプレイヤーを応援するための応援操作を前記プレイヤーが行なうことによって、前記フレンドプレイヤー及び前記プレイヤーのそれぞれに関連付けられた抽選操作回数を増やす応援処理部と、
を備えたことを特徴とする情報処理装置。
【請求項２】
請求項１に記載に情報処理装置であって、
エネミーキャラクターとの対戦について勝敗を決定する対戦処理部であって、フレンドプレイヤーがエネミーキャラクターとの対戦に勝利したことによって、前記フレンドプレイヤーに関連付けられた抽選操作回数を増やす対戦処理部と、
を備えたことを特徴とする情報処理装置。
【請求項３】
請求項１又は２に記載の情報処理装置であって、
前記ゲームコンテンツ付与部によって前記特別スコア変動コンテンツが付与されるまでは、フレンドプレイヤーが抽選操作した回数が多いほど前記特別スコア変動コンテンツを前記ゲームコンテンツ配置エリアに多く配置させるゲームコンテンツ配置部と、
を備えたことを特徴とする情報処理装置。
【請求項４】
請求項１又は２に記載の情報処理装置であって、
前記ゲームコンテンツ付与部によって前記特別スコア変動コンテンツが付与されるまでは、フレンドプレイヤーが抽選操作した回数に基づいて、前記特別スコア変動コンテンツを前記ゲームコンテンツ配置エリアに配置させる確率が高くなるように設定する、
を備えたことを特徴とする情報処理装置。
【請求項５】
請求項３に記載の情報処理装置であって、
前記ゲームコンテンツ配置部は、
前記ゲームコンテンツ付与部によって前記特別スコア変動コンテンツが付与される度に、加算されるスコアを段階的に大きくしたスコア変動コンテンツを前記ゲームコンテンツ配置エリアに配置させる、
ことを特徴とする情報処理装置。
【請求項６】
コンピューターに、
各プレイヤーに関連付けてフレンドプレイヤー及び抽選ゲームをプレイできる回数である抽選操作回数を記憶する記憶処理と、
プレイヤーに関連付けられたフレンドプレイヤーのゲームプレイを前記プレイヤーが閲覧するゲーム画面であって、抽選ゲームをゲームプレイしている前記フレンドプレイヤーのスコアを変動させるスコア変動コンテンツ、及び、前記スコア変動コンテンツよりも大きくスコアを変動させる特別スコア変動コンテンツの少なくとも一方を含む複数のゲームコンテンツが配置されるゲームコンテンツ配置エリアが表示されたゲーム画面のデータを生成する画面データ生成処理と、
前記フレンドプレイヤーが抽選操作回数を１つ減らして抽選ゲームを行なうための抽選操作を行なうことによって、前記ゲームコンテンツ配置エリアに配置された複数のゲームコンテンツの中から抽選によっていずれかのゲームコンテンツを１つ決定し、その決定されたゲームコンテンツを前記フレンドプレイヤーに付与するゲームコンテンツ付与処理と、
前記フレンドプレイヤーに付与されたゲームコンテンツが前記スコア変動コンテンツ又は前記特別スコア変動コンテンツである場合に、それぞれのコンテンツに応じて前記フレンドプレイヤーのスコアを変動させて更新するスコア更新処理と、
前記ゲーム画面の閲覧中に、前記特別スコア変動コンテンツの獲得を目指してゲームプレイしている前記フレンドプレイヤーを応援するための応援操作を前記プレイヤーが行なうことによって、前記フレンドプレイヤー及び前記プレイヤーのそれぞれに関連付けられた抽選操作回数を増やす応援処理と、
を実行させることを特徴とするゲームプログラム。
【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
熱可塑性エラストマー（Ａ）と共役ジエン改質ポリプロピレン系樹脂（Ｂ）からなる非発泡シート用樹脂組成物であって、
共役ジエン改質ポリプロピレン系樹脂（Ｂ）のＭＦＲ（２３０℃、２．１６ｋｇ）が０．１〜１０ｇ／１０分であり、
共役ジエン改質ポリプロピレン系樹脂（Ｂ）の２００℃での動的粘弾性測定における角振動数１ｒａｄ／ｓでの損失正接（ｔａｎδ）が２．０以下であることを特徴とする非発泡シート用樹脂組成物。
【請求項２】
熱可塑性エラストマー（Ａ）が下記１）から３）を満たすことを特徴とする請求項１に記載の非発泡シート用樹脂組成物。
１）ＭＦＲ（２３０℃、２．１６ｋｇ）が０．１〜１０ｇ／１０分
２）密度が０．８５ｇ／ｃｍ３以上０．８８ｇ／ｃｍ３以下
３）プロピレン含有量が５０重量％以上
【請求項３】
非発泡シート用樹脂組成物に含まれる（Ａ）と（Ｂ）の合計を１００重量部とし、熱可塑性エラストマー（Ａ）６０〜９７重量部と、改質ポリプロピレン系樹脂（Ｂ）３〜４０重量部を含むことを特徴とする請求項１又は２に記載の非発泡シート用樹脂組成物。
【請求項４】
非発泡シート用樹脂組成物に含まれる（Ａ）と（Ｂ）の合計を１００重量部とし、熱可塑性エラストマー（Ａ）９０〜９７重量部と、改質ポリプロピレン系樹脂（Ｂ）３〜１０重量部を含むことを特徴とする請求項１又は２に記載の非発泡シート用樹脂組成物。
【請求項５】
請求項１〜４のいずれかに記載の非発泡シート用樹脂組成物から得られる非発泡シート。
【請求項６】
請求項５に記載の非発泡シートを加熱成形して得られる非発泡シート成形体。
【請求項７】
請求項６に記載の非発泡シート成形体が自動車部品用であることを特徴とする非発泡シート成形体。
【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
下記一般式（Ｉ）で表されるアルコキシド化合物。
【化１】
2015205837.tif 000001
（式中、Ｒ１〜Ｒ３は各々独立に水素、炭素原子数１〜１２の炭化水素基又は下記一般式（Ｘ−１）〜（Ｘ−８）で表される基を表す。Ｒ４は炭素原子数１〜１２の炭化水素基又は下記一般式（Ｘ−１）〜（Ｘ−８）で表される基を表す。ただし、Ｒ１がメチル基であり、Ｒ２がメチル基又はエチル基であり、Ｒ４がメチル基である場合、Ｒ３は水素、炭素原子数４〜１２の炭化水素基又は下記一般式（Ｘ−１）〜（Ｘ−８）で表される基を表す。Ｌは水素、ハロゲン、水酸基、アミノ基、アジ基、ホスフィド基、ニトリル基、カルボニル基、炭素原子数１〜１２の炭化水素基又は下記一般式（Ｌ−１）〜（Ｌ−１３）で表される基を表す。Ｍは金属原子又はケイ素原子を表し、ｎは１以上の整数を表し、ｍは０以上の整数を表し、ｎ＋ｍは金属原子又はケイ素原子の価数を表す。）
【化２】
2015205837.tif 000002
（式中、ＲＸ１〜ＲＸ１２は各々独立に水素又は炭素原子数１〜１２の炭化水素基を表し、Ａ１〜Ａ３は炭素原子数１〜６のアルカンジイル基を表す。）
【化３】
2015205837.tif 000003
（式中、ＲＬ１〜ＲＬ３１は各々独立に水素又は炭素原子数１〜１２の炭化水素基を表し、Ａ４〜Ａ７は炭素原子数１〜６のアルカンジイル基を表す。ＲＬ１〜ＲＬ３１が炭素原子数１〜１２の炭化水素基である場合、炭化水素基中の水素原子はハロゲン原子又はアミノ基によって置換されていてもよい。）
【請求項２】
上記一般式（Ｉ）において、Ｒ１及びＲ２は各々独立に水素、炭素原子数１〜１２の炭化水素基、上記一般式（Ｘ−１）〜（Ｘ−６）で表される基又は上記一般式（Ｘ−８）で表される基であり、Ｒ３は炭素原子数１〜１２の炭化水素基、上記一般式（Ｘ−１）〜（Ｘ−６）で表される基又は上記一般式（Ｘ−８）で表される基であり、Ｒ４は炭素原子数１〜１２のアルキル基、上記一般式（Ｘ−１）〜（Ｘ−６）で表される基又は上記一般式（Ｘ−８）で表される基であり、Ｍは金属原子であり、ｎは２以上の整数である請求項１に記載のアルコキシド化合物。
【請求項３】
上記一般式（Ｉ）において、Ｍが銅、鉄、ニッケル、コバルト又はマンガンである請求項２に記載のアルコキシド化合物。
【請求項４】
請求項１〜３のいずれか一項に記載のアルコキシド化合物を含有してなる薄膜形成用原料。
【請求項５】
請求項４に記載の薄膜形成用原料を気化させて得られるアルコキシド化合物を含有する蒸気を、基体が設置された成膜チャンバー内に導入し、該アルコキシド化合物を分解及び／又は化学反応させて該基体の表面に金属原子及びケイ素原子から選ばれる少なくとも１種の原子を含有する薄膜を形成する薄膜の製造方法。
【請求項６】
下記一般式（ＩＩ）で表されるアルコール化合物。
【化４】
2015205837.tif 000004
（式中、Ｒ５〜Ｒ７は各々独立に水素、炭素原子数１〜１２の炭化水素基又は下記一般式（Ｙ−１）〜（Ｙ−８）で表される基を表す。Ｒ８は炭素原子数１〜１２の炭化水素基又は下記一般式（Ｙ−１）〜（Ｙ−８）で表される基を表す。ただし、Ｒ５がメチル基であり、Ｒ６がメチル基又はエチル基であり、Ｒ８がメチル基である場合、Ｒ７は水素、炭素原子数４〜１２の炭化水素基又は下記一般式（Ｙ−１）〜（Ｙ−８）で表される基を表す。）
【化５】
2015205837.tif 000005
（式中、ＲＹ１〜ＲＹ１２は各々独立に水素又は炭素原子数１〜１２の炭化水素基を表し、Ａ８〜Ａ１０は炭素原子数１〜６のアルカンジイル基を表す。）
【請求項７】
上記一般式（ＩＩ）において、Ｒ５〜Ｒ７は各々独立に炭素原子数１〜１２の炭化水素基、上記一般式（Ｙ−１）〜（Ｙ−６）で表される基又は上記一般式（Ｙ−８）で表される基であり、Ｒ８はメチル基である請求項６に記載のアルコール化合物。
【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
積載した単票の古紙を供給する供給部と、
前記供給部から供給された古紙を空気中で解繊する解繊部と、
前記解繊部で解繊された解繊物を分級し解繊物の一部を除去する分級部と、
前記分級部で除去されなかった前記解繊物に空気中で添加物を混合する混合部と、
前記混合部で混合された混合物を用いて単票のシートを成形する成形部と、
前記シートを受けて積載する排出部と、
を含み、
前記古紙一枚当たりにおいて、前記分級部で除去されたものの重量は、混合される前記添加物の重量よりも大きく、
前記排出部の最大積載可能重量は、前記供給部の最大積載可能重量よりも小さい、ことを特徴とするシート製造装置。
【請求項２】
前記排出部は、前記シートの重量により上下移動可能な積載部を有し、
前記積載部の最大積載可能重量は、前記積載部が最も下がった状態における積載重量である、ことを特徴とする請求項１に記載のシート製造装置。
【請求項３】
前記排出部は、前記シートの重量がより大きい場合の方がより小さい場合よりも、下方に位置するように前記積載部を移動させる移動部を有する、ことを特徴とする請求項２に記載のシート製造装置。
【請求項４】
前記排出部は、前記シートの重量がより大きい場合の方がより小さい場合よりも、下方に位置するように前記積載部を付勢する付勢部を有する、ことを特徴とする請求項２に記載のシート製造装置。
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
第１領域幅に印刷可能な印刷装置であって、
第１解像度で印刷する印刷部と、
第１フォントを記憶する記憶部と、
受信した印刷データに基づき前記印刷部を制御する制御部と、を備え、
前記制御部は、
前記印刷データが、前記第１領域幅より大きい第２領域幅に第２フォントを用いて前記第１解像度より高い第２解像度で印刷を行うことを指示する場合、
前記印刷データに、画像データ又は文字データが含まれるか否かを解析し、
前記印刷データに前記画像データが含まれる場合には、前記第１領域幅以下の画像領域幅に前記画像データを印刷し、
前記印刷データに前記文字データが含まれる場合には、前記画像領域幅以下の文字領域幅に前記第２フォントに代えて前記第１フォントを用いて前記文字データを印刷する、
ことを特徴とする印刷装置。
【請求項２】
前記制御部は、前記第１フォントを用いて前記第１解像度で前記文字データを印刷する場合の一行分の文字数と、前記第２領域幅に前記第２フォントを用いて前記第２解像度で前記文字データを印刷する場合の一行分の文字数とが、同一となるように前記文字領域幅を設定することを特徴とする請求項１に記載の印刷装置。
【請求項３】
前記制御部は、
前記印刷データに前記文字データが含まれる場合、
プリントバッファーの先頭からオフセットした位置を基準に前記文字領域幅に対応する位置まで前記文字データを展開し、前記プリントバッファーに１行分の前記文字データが展開される毎に、前記プリントバッファーに展開された前記文字データを、前記第１フォントを用いて印刷する請求項２に記載の印刷装置。
【請求項４】
前記制御部は、
前記画像領域幅を前記第１領域幅に設定し、
前記印刷データに前記画像データが含まれる場合、
前記プリントバッファーの先頭からオフセットした位置を基準に前記画像領域幅に対応する位置まで前記画像データを展開し、前記プリントバッファーに１行分の前記画像データが展開される毎に、前記プリントバッファーに展開された前記画像データを印刷する請求項３に記載の印刷装置。
【請求項５】
第１解像度で印刷する印刷部と、第１フォントを記憶する記憶部とを備え、第１領域幅に印刷可能な印刷装置の印刷方法であって、
受信した印刷データが、前記第１領域幅より大きい第２領域幅に第２フォントを用いて前記第１解像度より高い第２解像度で印刷を行うことを指示する場合、
前記印刷データに、画像データ又は文字データが含まれるか否かを解析し、
前記印刷データに前記画像データが含まれる場合には、前記第１領域幅以下の画像領域幅に前記画像データを印刷し、
前記印刷データに前記文字データが含まれる場合には、前記画像領域幅以下の文字領域幅に前記第２フォントに代えて前記第１フォントを用いて前記文字データを印刷する、
ことを特徴とする印刷方法。
【手続補正書】
【提出日】平成29年4月6日(2017.4.6)
【手続補正１】
【補正対象書類名】明細書
【補正対象項目名】０００９
【補正方法】変更
【補正の内容】
【０００９】
上記目的の一つを達成するため、本発明は、所定の並び方向へ複数のノズルが並んだノズル列を複数有し、該複数のノズル列に含まれる第一ノズル列及び第二ノズル列のノズルが前記並び方向において一部オーバーラップし、前記複数のノズル列と被記録物とが前記並び方向とは異なる相対移動方向へ相対移動する記録装置であって、
前記第一ノズル列において前記第二ノズル列とのオーバーラップ部にあるノズルに、ドットの形成が不良である不良ノズルがある場合、
前記第二ノズル列において前記第一ノズル列とのオーバーラップ部にあるノズルのうち、前記並び方向における位置が前記不良ノズルから前記並び方向両側のうちの一方側において最も近いノズルを第一補完ノズルとし他方側において最も近いノズルを第二補完ノズルとして、前記不良ノズルにより形成すべきドットを補完する補完ドットを前記第一補完ノズルと前記第二補完ノズルとにより形成する処理部を備える、態様を有する。
【手続補正２】
【補正対象書類名】特許請求の範囲
【補正対象項目名】全文
【補正方法】変更
【補正の内容】
【特許請求の範囲】
【請求項１】
所定の並び方向へ複数のノズルが並んだノズル列を複数有し、該複数のノズル列に含まれる第一ノズル列及び第二ノズル列のノズルが前記並び方向において一部オーバーラップし、前記複数のノズル列と被記録物とが前記並び方向とは異なる相対移動方向へ相対移動する記録装置であって、
前記第一ノズル列において前記第二ノズル列とのオーバーラップ部にあるノズルに、ドットの形成が不良である不良ノズルがある場合、
前記第二ノズル列において前記第一ノズル列とのオーバーラップ部にあるノズルのうち、前記並び方向における位置が前記不良ノズルから前記並び方向両側のうちの一方側において最も近いノズルを第一補完ノズルとし他方側において最も近いノズルを第二補完ノズルとして、前記不良ノズルにより形成すべきドットを補完する補完ドットを前記第一補完ノズルと前記第二補完ノズルとにより形成する処理部を備える、記録装置。
【請求項２】
前記処理部は、前記第一補完ノズルと前記第二補完ノズルとにより形成する補完ドットに対して前記第一補完ノズルにより形成する補完ドットの割合を前記並び方向における前記不良ノズルと前記第一補完ノズルとの距離に応じた割合にする、請求項１に記載の記録装置。
【請求項３】
前記処理部は、前記第一補完ノズルと前記第二補完ノズルのうち前記並び方向における位置が前記不良ノズルに近い方のノズルにより形成する補完ドットの割合を前記不良ノズルから遠い方のノズルにより形成する補完ドットの割合よりも多くする、請求項１又は請求項２に記載の記録装置。
【請求項４】
前記処理部は、前記第一ノズル列によりドットを形成するための第一ノズルデータと前記第二ノズル列によりドットを形成するための第二ノズルデータとを前記並び方向へノズル単位で相対的にシフトすることにより前記並び方向における前記第一ノズル列と前記第二ノズル列との基準に対するずれをデータ上で少なくするデータシフト部を有し、相対的にずらした後の前記第一ノズルデータに基づいて前記第一補完ノズルと前記第二補完ノズルとにより補完ドットを形成する、請求項１〜請求項３のいずれか一項に記載の記録装置。
【請求項５】
前記処理部は、前記第一ノズル列と前記第二ノズル列との基準に対するずれ量から前記データシフト部による前記第一ノズルデータと前記第二ノズルデータとの相対的なシフト量を差し引いた誤差量に応じた割合で前記第一補完ノズルと前記第二補完ノズルとにより補完ドットを形成する、請求項４に記載の記録装置。
【請求項６】
形成する補完ドットを前記並び方向における前記不良ノズルと前記第一補完ノズルとの距離に応じた割合にする分配情報を記憶した記憶部を備え、
前記処理部は、前記分配情報に従って前記第一補完ノズルと前記第二補完ノズルとにより補完ドットを形成する、請求項１〜請求項５のいずれか一項に記載の記録装置。
【請求項７】
前記第一ノズル列と前記第二ノズル列との基準に対するずれ量を表す情報を入力するずれ量入力部を備え、
前記処理部は、前記第一補完ノズルと前記第二補完ノズルとにより形成する補完ドットに対して前記第一補完ノズルにより形成する補完ドットの割合を前記ずれ量入力部で入力された情報で表されるずれ量に応じた割合にする、請求項１〜請求項６のいずれか一項に記載の記録装置。
【請求項８】
所定の並び方向へ複数のノズルが並んだノズル列を複数用い、該複数のノズル列と被記録物とを前記並び方向とは異なる相対移動方向へ相対移動させる記録方法であって、
前記複数のノズル列に含まれる第一ノズル列及び第二ノズル列のノズルが前記並び方向において一部オーバーラップし、
前記第一ノズル列において前記第二ノズル列とのオーバーラップ部にあるノズルに、ドットの形成が不良である不良ノズルがある場合、
前記第二ノズル列において前記第一ノズル列とのオーバーラップ部にあるノズルのうち、前記並び方向における位置が前記不良ノズルから前記並び方向両側のうちの一方側において最も近いノズルを第一補完ノズルとし他方側において最も近いノズルを第二補完ノズルとして、前記不良ノズルにより形成すべきドットを補完する補完ドットを前記第一補完ノズルと前記第二補完ノズルとにより形成する、記録方法。